(57)【要約】【課題】撮像装置に設定された設定条件の数に応じて操作リングを適切な操作性に変更することができる撮像装置を提供する。【解決手段】撮像装置１は、光学系２の光軸Ｏを中心に回動自在であり、光軸Ｏと平行な方向に延びる複数の溝部が内周側に形成された操作リング２３と、溝部に進入可能であるとともに、操作リング２３の内周側に当接して操作リング２３を径方向に向けて押圧するアクチュエータ２４１と、光学系Ｏの性能に関する光学系情報および前記画像処理部が行う前記特殊効果処理に関する特殊効果処理情報を記録するＦｌａｓｈメモリ２２と、Ｆｌａｓｈメモリ２２が記録する光学系情報および特殊効果処理情報に基づいて、アクチュエータ２４１が操作リング２３を径方向に向けて押圧する押圧力を制御することによって、操作リング２３が回転可能な範囲を規制するアクチュエータ制御部２６２と、を備える。【選択図】図１
2014021201.tif 000002
【特許請求の範囲】
【請求項１】
所定の視野領域から光を集光する光学系を保持するレンズ鏡筒を備え、前記光学系が集光した光を受光して光電変換することによって画像データを生成する撮像装置であって、
前記画像データに対して、複数の画像処理を組み合わせることにより視覚的な効果を生じさせる特殊効果処理を行って処理画像データを生成する画像処理部と、
前記レンズ鏡筒の外周部に設けられ、前記光学系の光軸を中心に回動自在なリング状をなし、前記光軸と平行な方向に延びる複数の溝部が内周側に形成された操作リングと、
前記溝部に進入可能であるとともに、前記操作リングの内周側に当接して前記操作リングを径方向に向けて押圧するアクチュエータと、
前記光学系の性能に関する光学系情報および前記画像処理部が行う前記特殊効果処理に関する特殊効果処理情報を記録する記録部と、
前記記録部が記録する前記光学系情報および前記特殊効果処理情報に基づいて、前記アクチュエータが前記操作リングを径方向に向けて押圧する押圧力を制御することによって、前記操作リングの回転可能な範囲を規制するアクチュエータ制御部と、
を備えたことを特徴とする撮像装置。
【請求項２】
前記操作リングは、前記レンズ鏡筒の光軸に沿って第１の位置と第２の位置との間で進退可能であり、
前記操作リングが前記第１の位置または前記第２の位置のいずれかに位置しているかを検出する位置検出部をさらに備え、
前記アクチュエータ制御部は、前記位置検出部の検出結果に応じて、前記押圧力を制御することを特徴とする請求項１に記載の撮像装置。
【請求項３】
前記光学系は、光学ズームが可能であり、
前記光学系情報は、少なくとも前記光学系のズーム倍率情報を含み、
前記特殊効果処理情報は、前記画像処理部が処理可能な前記特殊効果処理の数に関する情報を含み、
前記アクチュエータ制御部は、前記位置検出部によって前記操作リングが前記第１の位置に位置していると検出された場合、前記操作リングが回転可能な範囲を前記数に関する情報に応じた範囲に規制する一方、前記位置検出部によって前記操作リングが前記第２の位置に位置していると検出された場合、前記操作リングが回転可能な範囲を前記ズーム倍率情報に応じた範囲に規制することを特徴とする請求項２に記載の撮像装置。
【請求項４】
前記位置検出部によって前記操作リングが前記第２の位置に位置していると検出された場合において、前記操作リングが回転されたとき、前記光学系における現在の焦点距離と前記ズーム倍率情報とに基づいて、前記光学系を前記光軸に沿って移動させる際のズーム速度の変化量を異ならせて前記光学系を移動させるズームレンズ駆動部をさらに備えたことを特徴とする請求項３に記載の撮像装置。
【請求項５】
前記押圧力の変更を指示する指示信号の入力を受け付ける入力部をさらに備え、
前記アクチュエータ制御部は、前記指示信号に応じて前記押圧力を制御することを特徴とする請求項１〜４のいずれか一つに記載の撮像装置。
【請求項６】
当該撮像装置が動画撮影を行っているか否かを判定する動画撮影判定部をさらに備え、
前記アクチュエータは、
前記溝部に接触する接触部と、
前記接触部を前記溝部と接触させて前記操作リングを径方向に向けて押圧する押圧位置と前記溝部から所定の距離だけ離間した離間位置との間で進退可能に搭載する可動部と、
を有し、
前記アクチュエータ制御部は、前記動画撮影判定部によって当該撮像装置が動画撮影を行っていると判定された場合、前記可動部の駆動を制御して前記接触部を前記押圧位置から前記離間位置に退避させることを特徴とする請求項１〜５のいずれか一つに記載の撮像装置。
【請求項７】
前記操作リングの回転角度を検出する回転検出部と、
前記回転検出部が検出した回転角度に応じて、前記画像処理部が行う画像処理を設定する画像処理制御部と、
をさらに備えたことを特徴とする請求項１〜６のいずれか一つに記載の撮像装置。
【請求項８】
前記画像処理部は、
前記画像データに対して複数の画像処理を組み合わせることにより視覚的な効果を生じさせる特殊効果処理を行って特殊効果画像データを生成する特殊効果処理部と、
前記画像データに対して複数の画像処理を組み合わせることにより補助的な効果を生じさせる補助効果処理を行って補助効果画像データを生成する補助効果画像処理部と、
を有し、
前記画像処理制御部は、前記回転検出部が検出した前記回転角度に応じた前記特殊効果処理または前記補助効果処理をそれぞれ前記特殊効果処理部または前記補助効果画像処理部に実行させることを特徴とする請求項７に記載の撮像装置。
【請求項９】
前記特殊効果処理は、前記画像の周辺に対してシェーディング効果を施すシェーディング処理および前記画像全体にぼかし効果を施すソフトフォーカス処理の少なくともいずれか一つの処理を含み、
前記補助効果処理は、輝度の明るさを調整する光描画処理、前記画像の周辺に対してホワイトアウト効果を施すホワイトアウト処理、前記画像の周辺のみシェーディング効果を施すシェーディング処理およびフレーム画像を重畳する合成処理の少なくともいずれか一つの処理を含むことを特徴とする請求項８に記載の撮像装置。
【請求項１０】
前記アクチュエータは、電磁型リニアモータまたはポリマアクチュエータのいずれかであることを特徴とする請求項１〜９のいずれか一つに記載の撮像装置。
【請求項１１】
前記レンズ鏡筒は、当該撮像装置の本体部に対して着脱自在であることを特徴とする請求項１〜１０のいずれか一つに記載の撮像装置。
【発明の詳細な説明】
【技術分野】
【０００１】
本発明は、被写体を撮像して該被写体の画像データを生成する撮像装置に関する。
【背景技術】
【０００２】
従来、撮像装置のレンズ鏡筒に設けられ、回転操作が可能な操作リングを操作することにより、ピント位置や画像処理の処理内容を含む撮像装置の設定条件を変更する技術が知られている（特許文献１参照）。この技術では、操作リングの回転方向に沿って所定角度で回転する毎にクリック音を生じさせることにより、ユーザが操作リングの回転方向および回転角度を確認することによって、撮像装置の設定条件を把握する。
【先行技術文献】
【特許文献】
【０００３】
【特許文献１】特開２０１１−３９３８５号公報
【発明の概要】
【発明が解決しようとする課題】
【０００４】
ところで、上述した特許文献１の撮像装置の設定条件の変更は、予め決められた値や処理内容を選択することにより行われる。しかしながら、撮像装置の設定条件の数によっては、ユーザが操作リングを余分に回転させてしまったり、どちらへ操作リングを回転させればよいのか分からなくなったりすることがあった。このため、撮像装置の設定条件の数に応じて操作リングに適切な操作性を持たせることができる技術が望まれていた。
【０００５】
本発明は、上記に鑑みてなされたものであって、撮像装置に設定された設定条件の数に応じて操作リングに適切な操作性を持たせることができる撮像装置を提供することを目的とする。
【課題を解決するための手段】
【０００６】
上述した課題を解決し、目的を達成するために、本発明に係る撮像装置は、所定の視野領域から光を集光する光学系を保持するレンズ鏡筒を備え、前記光学系が集光した光を受光して光電変換することによって画像データを生成する撮像装置であって、前記画像データに対して、複数の画像処理を組み合わせることにより視覚的な効果を生じさせる特殊効果処理を行って処理画像データを生成する画像処理部と、前記レンズ鏡筒の外周部に設けられ、前記光学系の光軸を中心に回動自在なリング状をなし、前記光軸と平行な方向に延びる複数の溝部が内周側に形成された操作リングと、前記溝部に進入可能であるとともに、前記操作リングの内周側に当接して前記操作リングを径方向に向けて押圧するアクチュエータと、前記光学系の性能に関する光学系情報および前記画像処理部が行う前記特殊効果処理に関する特殊効果処理情報を記録する記録部と、前記記録部が記録する前記光学系情報および前記特殊効果処理情報に基づいて、前記アクチュエータが前記操作リングを径方向に向けて押圧する押圧力を制御することによって、前記操作リングの回転可能な範囲を規制するアクチュエータ制御部と、を備えたことを特徴とする。
【０００７】
また、本発明にかかる撮像装置は、上記発明において、前記操作リングは、前記レンズ鏡筒の光軸に沿って第１の位置と第２の位置との間で進退可能であり、前記操作リングが前記第１の位置または前記第２の位置のいずれかに位置しているかを検出する位置検出部をさらに備え、前記アクチュエータ制御部は、前記位置検出部の検出結果に応じて、前記押圧力を制御することを特徴とする。
【０００８】
また、本発明にかかる撮像装置は、上記発明において、前記光学系は、光学ズームが可能であり、前記光学系情報は、少なくとも前記光学系のズーム倍率情報を含み、前記特殊効果処理情報は、前記画像処理部が処理可能な前記特殊効果処理の数に関する情報を含み、前記アクチュエータ制御部は、前記位置検出部によって前記操作リングが前記第１の位置に位置していると検出された場合、前記操作リングが回転可能な範囲を前記数に関する情報に応じた範囲に規制する一方、前記位置検出部によって前記操作リングが前記第２の位置に位置していると検出された場合、前記操作リングが回転可能な範囲を前記ズーム倍率情報に応じた範囲に規制することを特徴とする。
【０００９】
また、本発明にかかる撮像装置は、上記発明において、前記位置検出部によって前記操作リングが前記第２の位置に位置していると検出された場合において、前記操作リングが回転されたとき、前記光学系における現在の焦点距離と前記ズーム倍率情報とに基づいて、前記光学系を前記光軸に沿って移動させる際のズーム速度の変化量を異ならせて前記光学系を移動させるズームレンズ駆動部をさらに備えたことを特徴とする。
【００１０】
また、本発明にかかる撮像装置は、上記発明において、前記押圧力の変更を指示する指示信号の入力を受け付ける入力部をさらに備え、前記アクチュエータ制御部は、前記指示信号に応じて前記押圧力を制御することを特徴とする。
【００１１】
また、本発明にかかる撮像装置は、上記発明において、当該撮像装置が動画撮影を行っているか否かを判定する動画撮影判定部をさらに備え、前記アクチュエータは、前記溝部に接触する接触部と、前記接触部を前記溝部と接触させて前記操作リングを径方向に向けて押圧する押圧位置と前記溝部から所定の距離だけ離間した離間位置との間で進退可能に搭載する可動部と、を有し、前記アクチュエータ制御部は、前記動画撮影判定部によって当該撮像装置が動画撮影を行っていると判定された場合、前記可動部の駆動を制御して前記接触部を前記押圧位置から前記離間位置に退避させることを特徴とする。
【００１２】
また、本発明にかかる撮像装置は、上記発明において、前記操作リングの回転角度を検出する回転検出部と、前記回転検出部が検出した回転角度に応じて、前記画像処理部が行う画像処理を設定する画像処理制御部と、をさらに備えたことを特徴とする。
【００１３】
また、本発明にかかる撮像装置は、上記発明において、前記画像処理部は、前記画像データに対して複数の画像処理を組み合わせることにより視覚的な効果を生じさせる特殊効果処理を行って特殊効果画像データを生成する特殊効果処理部と、前記画像データに対して複数の画像処理を組み合わせることにより補助的な効果を生じさせる補助効果処理を行って補助効果画像データを生成する補助効果画像処理部と、を有し、前記画像処理制御部は、前記回転検出部が検出した前記回転角度に応じた前記特殊効果処理または前記補助効果処理をそれぞれ前記特殊効果処理部または前記補助効果画像処理部に実行させることを特徴とする。
【００１４】
また、本発明にかかる撮像装置は、上記発明において、前記特殊効果処理は、前記画像の周辺に対してシェーディング効果を施すシェーディング処理および前記画像全体にぼかし効果を施すソフトフォーカス処理の少なくともいずれか一つの処理を含み、前記補助効果処理は、輝度の明るさを調整する光描画処理、前記画像の周辺に対してホワイトアウト効果を施すホワイトアウト処理、前記画像の周辺のみシェーディング効果を施すシェーディング処理およびフレーム画像を重畳する合成処理の少なくともいずれか一つの処理を含むことを特徴とする。
【００１５】
また、本発明にかかる撮像装置は、上記発明において、前記アクチュエータは、電磁型リニアモータまたはポリマアクチュエータのいずれかであることを特徴とする。
【００１６】
また、本発明にかかる撮像装置は、上記発明において、前記レンズ鏡筒は、当該撮像装置の本体部に対して着脱自在であることを特徴とする。
【発明の効果】
【００１７】
本発明にかかる撮像装置によれば、アクチュエータ制御部が記録部によって記録された光学系の性能に関する光学系情報および画像処理部が行う特殊効果処理に関する特殊効果処理情報に基づいて、アクチュエータがレンズ鏡筒に設けられた操作リングを径方向に向けて押圧する押圧力を制御することによって、操作リングが回転可能な範囲を規制するので、撮像装置に設定された設定条件の数に応じて操作リングに適切な操作性を持たせることができるという効果を奏する。
【図面の簡単な説明】
【００１８】
【図１】図１は、本発明の一実施の形態にかかる撮像装置の被写体に面する側の構成を示す斜視図である。
【図２】図２は、本発明の一実施の形態にかかる撮像装置の機能構成を示すブロック図である。
【図３】図３は、本発明の一実施の形態にかかる撮像装置のレンズ鏡筒の沈胴状態における要部の構成を示す断面図である。
【図４】図４は、本発明の一実施の形態にかかる撮像装置の特殊効果処理情報記録部が記録する特殊効果処理に関する情報としての特殊効果処理情報テーブルの一例を示す図である。
【図５】図５は、本発明の一実施の形態にかかる撮像装置の補助効果処理情報記録部が記録する補助効果処理に関する情報としての補助効果処理情報テーブルの一例を示す図である。
【図６】図６は、本発明の一実施の形態にかかる撮像装置の光軸方向から見た際の操作リングおよびアクチュエータ機構の要部の断面図である。
【図７】図７は、図３に示すアクチュエータの要部の構成を拡大した断面図である。
【図８】図８は、図３に示すアクチュエータが光軸に沿う方向に移動した状態でアクチュエータの要部を拡大した断面図である。
【図９】図９は、アクチュエータ機構の要部を拡大した断面図である。
【図１０】図１０は、アクチュエータ機構の一部をなすアクチュエータのジンバルばねの形状を示す平面図である。
【図１１】図１１は、アクチュエータ機構の一部をなすアクチュエータのコイルの形状を示す平面図である。
【図１２】図１２は、本発明の一実施の形態にかかる撮像装置のレンズ鏡筒の伸長状態における要部の構成を示す断面図である。
【図１３】図１３は、本発明の一実施の形態にかかる撮像装置が実行する処理の概要を示すフローチャートである。
【図１４】図１４は、図１３の操作リング調整処理の概要を示すフローチャートである。
【図１５】図１５は、本発明の一実施の形態にかかる撮像装置の表示部が表示するセットメニュー画面の一例を示す図である。
【図１６】図１６は、本発明の一実施の形態にかかる撮像装置のアクチュエータの差動出力と押圧力との関係を示す図である。
【図１７】図１７は、図１３の操作リング処理の概要を示すフローチャートである。
【図１８】図１８は、本発明の一実施の形態にかかる撮像装置のアクチュエータ制御部が行う操作リングの回転規制を説明する図である。
【図１９】図１９は、本発明の一実施の形態にかかる撮像装置の表示部が表示するライブビュー画像の一例を示す図である。
【図２０】図２０は、本発明の一実施の形態にかかる撮像装置のアクチュエータ制御部が行う操作リングの回転規制を説明する別の図である。
【図２１】図２１は、本発明の一実施の形態にかかる撮像装置の表示部が表示するライブビュー画像の一例を示す図である。
【図２２】図２２は、図１３の動画撮影処理の概要を示すフローチャートである。
【図２３】図２３は、本発明の一実施の形態にかかる撮像装置のアクチュエータ制御部が動画撮影時において行う操作リングの回転規制を説明する別の図である。
【図２４】図２４は、本発明の一実施の形態の変形例１にかかるレンズ鏡筒の沈胴状態における要部の構成を示す断面図である。
【図２５】図２５は、図２４のアクチュエータ機構の一部をなすアクチュエータおよび状態検出部の要部を拡大して模式的に示す断面図である。
【図２６】図２６は、本発明の一実施の形態の変形例２にかかるアクチュエータ機構の一部をなすアクチュエータおよび状態検出部の要部を拡大して模式的に示す断面図である。
【図２７】図２７は、図２６のアクチュエータの要部の平面図である。
【図２８】図２８は、本発明の一実施の形態の変形例３にかかるアクチュエータ機構の一部をなすアクチュエータの要部を拡大して模式的に示す断面図である。
【図２９】図２９は、本発明の一実施の形態の変形例４にかかるアクチュエータ機構の一部をなすアクチュエータおよび状態検出部の要部を拡大して模式的に示す断面図である。
【図３０】図３０は、図２９のアクチュエータの要部の平面図である。
【図３１】図３１は、本発明の一実施の形態の変形例４にかかるアクチュエータの支持バネの別の形状を模式的に示す図である。
【図３２】図３２は、図３１のＢ−Ｂ線断面図である。
【図３３】図３３は、本発明の一実施の形態の変形例５にかかるアクチュエータ機構の一部をなすアクチュエータの要部を拡大して模式的に示す断面図である。
【図３４】図３４は、本発明の一実施の形態の変形例６にかかる撮像装置の操作リングに応じて撮像装置のピント領域を拡大して撮像装置のピントを調整する際の画面遷移の一例を示す図である。
【発明を実施するための形態】
【００１９】
以下、図面を参照して、本発明を実施するための形態（以下、「実施の形態」という）を説明する。図面の記載において、同一の部分には同一の符号を付して説明する。また、図面は、模式的なものであり、各部の寸法や比率は、現実と異なることに留意する必要がある。さらに、図面の相互間においても、互いの寸法や比率が異なる部分が含まれる。なお、この実施例により、この発明が限定されるものではない。
【００２０】
図１は、本発明の一実施の形態にかかる撮像装置の被写体に面する側（前面側）の構成を示す斜視図である。図２は、本発明の一実施の形態にかかる撮像装置の機能構成を示すブロック図である。なお、図１において、撮像装置の固有の座標系として、撮像装置の幅方向をＸ軸方向、撮像装置の鉛直方向をＹ軸方向、撮像装置の厚み方向をＺ軸方向とする。
【００２１】
図１および図２に示すように、撮像装置１は、光学系２と、レンズ駆動部３と、絞り４と、絞り駆動部５と、シャッタ６と、シャッタ駆動部７と、撮像素子８と、撮像素子駆動部９と、信号処理部１０と、Ａ／Ｄ変換部１１と、画像処理部１２と、ＡＥ処理部１３と、ＡＦ処理部１４と、画像圧縮展開部１５と、入力部１６と、表示部１７と、表示駆動部１８と、記録媒体１９と、ＳＤＲＡＭ（Synchronous  Dynamic  Random  Access  Memory）２０と、時計２１と、Ｆｌａｓｈメモリ２２と、操作リング２３と、アクチュエータ機構２４と、制御部２６と、バスＢＵ１と、を備える。
【００２２】
光学系２は、一または複数のレンズを用いて構成され、レンズ鏡筒１００によって保持される。光学系２は、所定の視野領域から光を集光する。光学系２は、画角を変化させるズーム光学系２ａと、焦点を変化させるフォーカス光学系２ｂと、を有する。
【００２３】
ここで、光学系２の構成について詳細に説明する。図３は、レンズ鏡筒１００の沈胴状態における光学系２を含む要部の構成を示す断面図である。
【００２４】
図３に示すように、光学系２は、第１レンズ群Ｇ１、第２レンズ群Ｇ２、第３レンズ群Ｇ３および第４レンズ群Ｇ４によって構成される。第１レンズ群Ｇ１、第２レンズ群Ｇ２、第３レンズ群Ｇ３および第４レンズ群Ｇ４は、各レンズの光軸をそれぞれ一致させてレンズ鏡筒１００内で保持される。なお、第１レンズ群Ｇ１、第２レンズ群Ｇ２および第３レンズ群Ｇ３がズーム光学系３ａを構成し、第４レンズ群Ｇ４がフォーカス光学系３ｂを構成する。
【００２５】
レンズ駆動部３は、ＤＣモータまたはステッピングモータ等を用いて構成され、光学系２の光軸Ｏ上に沿って光学系２を移動させることにより、光学系２のピント位置や画角等の変更を行う。レンズ駆動部３は、ズーム光学系２ａを光軸Ｏ方向に沿って駆動するズームレンズ駆動部３ａと、フォーカス光学系２ｂを光軸Ｏ方向に沿って駆動するフォーカスレンズ駆動部３ｂと、を有する。ズームレンズ駆動部３ａは、光学系２のうちズーミング動作に寄与するズーム光学系２ａ（第１レンズ群Ｇ１、第２レンズ群Ｇ２および第３レンズ群Ｇ３）を光軸Ｏに沿う方向に駆動することによって、ズーミング動作を行う。また、フォーカス駆動部３ｂは、光学系２のうちフォーカシング動作に寄与するフォーカスレンズ光学系３ｂ（第４レンズ群Ｇ４）を光軸Ｏに沿う方向に駆動することによって、フォーカシング動作を行う。
【００２６】
絞り４は、光学系２が集光した光の入射量を制限することにより、撮像素子８が受光する光量の調整を行う。
【００２７】
絞り駆動部５は、ステッピングモータ等を用いて構成され、制御部２６の制御のもと、絞り４を駆動することにより、撮像装置１の絞り値（Ｆ値）を変更する。
【００２８】
シャッタ６は、撮像素子８の状態を露光状態または遮光状態に設定する。シャッタ駆動部７は、ステッピングモータ等を用いて構成され、制御部２６の制御のもと、シャッタ６を駆動する。
【００２９】
撮像素子８は、光学系２が集光した光を受光して電気信号に変換するＣＣＤ（Charge  Coupled  Device）またはＣＭＯＳ（Complementary  Metal  Oxide  Semiconductor）等を用いて構成される。撮像素子駆動部９は、制御部２６の制御のもと、所定のタイミングで撮像素子８から画像データ（アナログ信号）を信号処理部１０に出力させる。この意味で、撮像素子駆動部９は、電子シャッタとして機能する。
【００３０】
信号処理部１０は、撮像素子８から入力されるアナログ信号に対して、アナログ処理を施してＡ／Ｄ変換部１１へ出力する。たとえば、信号処理部１０は、アナログ信号に対して、リセットノイズ等を低減した上で波形整形後、目的の明るさとなるようにゲインアップを行う。
【００３１】
画像処理部１２は、バスＢＵ１を介してＳＤＲＡＭ２０から画像データを取得し、取得した画像データ（ＲＡＷデータ）に対して各種の画像処理を行って処理画像データを生成する。この処理画像データは、バスＢＵ１を介してＳＤＲＡＭ２０へ出力される。
【００３２】
画像処理部１２の詳細な構成について説明する。画像処理部１２は、基本画像処理部１２１と、特殊効果画像処理部１２２と、補助効果画像処理部１２３と、を有する。
【００３３】
基本画像処理部１２１は、画像データに対して、少なくとも、オプティカルブラック減算処理、ホワイトバランス（ＷＢ）調整処理、カラーマトリクス演算処理、ガンマ補正処理、色再現処理およびエッジ強調処理等を含む基本の画像処理を行う。なお、画像処理部１２１は、撮像素子８がベイヤー配列の場合には画像データの同時化処理を行う。また、基本画像処理部１２１は、予め設定された各画像処理のパラメータに基づいて、自然な画像を再現する仕上がり効果処理を行って仕上がり効果画像データを生成する。ここで、各画像処理のパラメータとは、コントラスト、シャープネス、彩度、ホワイトバランスおよび階調の値である。
【００３４】
特殊効果画像処理部１２２は、１つの画像データに対して複数の画像処理を組み合わせることにより、視覚的な効果を生じさせる特殊効果画像処理（以下、「アート効果処理」という）を行って処理画像データ（以下、「アート効果画像データ」という）を生成する。具体的には、特殊効果画像処理部１２２は、トーンカーブ処理、ぼかし処理、アルファブレンド処理および画像合成処理等の画像処理を組み合わせることによって、アート効果画像データを生成する。
【００３５】
補助効果画像処理部１２３は、画像データに対して特殊効果画像処理と異なる補助効果処理を行う。この補助効果処理としては、たとえば、ソフトフォーカス効果処理、ホワイトアウト効果処理、シェーディング効果処理またはスターライト効果処理等の補助的な画像処理（以下、「エフェクト処理」という）を行って処理画像データ（以下、「エフェクト画像データ」という）を生成する。なお、補助効果画像処理部１２３は、特殊効果画像処理部１２２がアート効果処理を行ったアート効果画像データに対してエフェクト処理を行ってエフェクト画像データを生成してもよい。
【００３６】
ＡＥ処理部１３は、バスＢＵ１を介してＳＤＲＡＭ２０に記録された画像データを取得し、取得した画像データに基づいて、静止画撮影または動画撮影を行う際の露出条件を設定する。具体的には、ＡＥ処理部１３は、画像データから輝度を算出し、算出した輝度に基づいて、たとえば絞り値（Ｆ値）の設定、シャッタ速度およびＩＳＯ感度等を決定することで撮像装置１の自動露出を行う。
【００３７】
ＡＦ処理部１４は、バスＢＵ１を介してＳＤＲＡＭ２０に記録された画像データを取得し、取得した画像データに基づいて、撮像装置１の自動焦点の調整を行う。たとえば、ＡＦ処理部１４は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。なお、ＡＦ処理部１４は、瞳分割位相差法を用いて撮像装置１の自動焦点の調整を行ってもよい。
【００３８】
画像圧縮展開部１５は、バスＢＵ１を介してＳＤＲＡＭ２０から画像データ、仕上がり効果入りの画像データ、アート効果入りの画像データおよびエフェクト入りの画像データのいずれかを取得し、取得した画像データに対して所定の形式に従って圧縮し、この圧縮した画像データをＳＤＲＡＭ２０に出力する。ここで、所定の形式とは、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１５は、バスＢＵ１およびメモリＩ／Ｆ（図示せず）を介して記録媒体１９に記録された画像データ（圧縮画像データ）を取得し、取得した画像データを展開（伸長）してＳＤＲＡＭ２０に出力する。なお、記録媒体１９の代わりに撮像装置１の内部に別途記録部を設けてもよい。
【００３９】
入力部１６は、撮像装置１の電源状態をオン状態またはオフ状態に切り換える電源スイッチ１６１と、静止画撮影の指示を与える静止画レリーズ信号の入力を受け付けるレリーズスイッチ１６２と、撮像装置１に設定された各種撮影モードを切り換える撮影モード切換スイッチ１６３と、動画撮影の指示を与える動画レリーズ信号の入力を受け付ける動画スイッチ１６４と、撮像装置１の各種設定を指示する指示信号の入力を受け付けるメニュースイッチ１６５と、メニュー画面において指示された内容を決定する指示信号の入力を受け付ける決定スイッチ１６６と、を有する。レリーズスイッチ１６２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。
【００４０】
表示部１７は、液晶または有機ＥＬ（Electro  Luminescence）等からなる表示パネルを用いて構成される。表示駆動部１８は、バスＢＵ１を介してＳＤＲＡＭ２０が記録する画像データまたは記録媒体１９が記録する画像データを取得し、取得した画像データに対応する画像を表示部１７に表示させる。ここで、画像の表示には、撮影直後の画像データを所定時間（たとえば３秒）だけ表示するレックビュー表示、記録媒体１９に記録された画像データを再生する再生表示、および撮像素子８が連続的に生成する画像データに対応するライブビュー画像を時系列に沿って順次表示するライブビュー画像表示等が含まれる。また、表示部１７は、撮像装置１の操作情報および撮影に関する情報を適宜表示する。
【００４１】
記録媒体１９は、撮像装置１の外部から装着されるメモリカード等を用いて構成される。記録媒体１９は、メモリＩ／Ｆ（図示せず）を介して撮像装置１に着脱自在に装着される。記録媒体１９には、画像処理部１２や画像圧縮展開部１５が処理を施した画像データを記録する。記録媒体１９は、記録した画像データが制御部２６によって読み出される。
【００４２】
ＳＤＲＡＭ２０は、揮発性メモリを用いて構成される。ＳＤＲＡＭ２０は、バスＢＵ１を介してＡ／Ｄ変換部１１から入力される画像データ、画像処理部１２から入力される処理画像データおよび撮像装置１の処理中の情報を一時的に記憶する一時記憶部としての機能を有する。たとえば、ＳＤＲＡＭ２０は、信号処理部１０、Ａ／Ｄ変換部１１およびバスＢＵ１を介して、撮像素子８が１フレーム毎に順次出力する画像データを一時的に記憶する。
【００４３】
時計２１は、計時機能および撮影日時の判定機能を有する。時計２１は、画像データに日付データを付加するため、制御部２６に日付データを送信する。この日付データには、日付および時間が含まれる。
【００４４】
Ｆｌａｓｈメモリ２２は、不揮発性メモリを用いて構成される。Ｆｌａｓｈメモリ２２は、プログラム記録部２２１と、特殊効果処理情報記録部２２２と、補助効果処理情報記録部２２３と、レンズ情報記録部２２４と、を有する。プログラム記録部２２１は、撮像装置１を動作させるための各種プログラム、プログラムの実行中に使用される各種データおよび画像処理部１２による画像処理の動作に必要な各種パラメータ等を記録する。レンズ情報記録部２２４は、撮像装置１を特定するための製造番号、光学系２のレンズ特性、たとえば焦点距離、ズーム倍率（画角）、明るさ（Ｆ値）および色収差等を記録する。
【００４５】
ここで、特殊効果処理情報記録部２２２が記録する特殊効果処理に関する情報および補助効果処理情報記録部２２３が記録する補助効果処理情報について説明する。図４は、特殊効果処理情報記録部２２２が記憶する特殊効果処理に関する情報としての特殊効果処理情報テーブルの一例を示す図である。
【００４６】
図４に示すように、特殊効果処理情報テーブルＴ１には、画像処理部１２が画像データに対して実行することが可能な特殊効果処理が記載されている。たとえば、特殊効果処理が「Ａｒｔ１」の「ファンタジックフォーカス」の場合、処理内容として「トーンカーブ処理」、「ぼかし処理」および「合成処理」が記載されている。ここで、合成処理とは、特殊効果画像処理部１２２がトーンカーブ処理を行った画像データと、ぼかし処理を行った画像データとを合成して新たな画像データを生成する画像処理である。さらに、特殊効果処理が「Ａｒｔ４」の「ジオラマ」の場合、処理内容として「色相・彩度処理」、「コントラスト処理」、「３回ぼかし処理」および「３回合成処理」が記載されている。ここで、３回ぼかし処理とは、特殊効果画像処理部１２２が色彩・彩度処理後、コントラスト処理を行った画像データに対してぼかし処理を３回行う処理である。また、３回合成処理とは、特殊効果画像処理部１２２がぼかし処理を行うごとに、ぼかし処理前の画像データと、ぼかし処理後の画像データとを合成して新たな画像データを生成する画像処理である。
【００４７】
図５は、補助効果処理情報記録部２２３が記憶する補助効果処理に関する情報としての補助効果処理情報テーブルの一例を示す図である。
【００４８】
図５に示すように、補助効果処理情報テーブルＴ２には、特殊効果処理に追加可能な補助効果処理が記載されている。さらに、補助効果処理情報テーブルＴ２には、補助効果処理の処理内容が記載されている。たとえば、補助効果処理が「Ｅｆｆｅｃｔ５」の「ホワイトアウト効果」の場合、処理内容として「ホワイトアウト処理」が記載されている。さらに、補助効果処理が「Ｅｆｆｅｃｔ３」の「スターライト効果」の場合、処理内容として「輝点検出処理」および「光描画処理」が記載されている。なお、補助効果処理の処理内容の「光描画処理」は、画像データに含まれるレベル（閾値）より高い輝点のみを描画し、レベルの低い輝点は描画を行わない処理である。
【００４９】
図１および図２に戻り、撮像装置１の構成の説明を続ける。
操作リング２３は、図１に示すように、リング状をなし、撮像装置１のレンズ鏡筒１００の外周部に設けられる。
【００５０】
ここで、操作リング２３について詳細に説明する。図６は、光軸Ｏ方向から見た際の操作リング２３およびアクチュエータ機構２４の要部の断面図である。
【００５１】
図６に示すように、操作リング２３は、撮像装置１の筐体１ａと保持されることにより、光軸Ｏに沿う方向に進退可能である。操作リング２３は、内周側に形成されて光軸Ｏと平行な方向に延びる複数の溝部２３１および溝部２３２を有する（図３を参照）。溝部２３１および溝部２３２は、操作リング２３の周方向に沿って等間隔で複数設けられ、断面が略Ｃ字状をなす。操作リング２３は、光学系２の光軸Ｏを中心に回転自在である。また、操作リング２３は、光軸Ｏに沿う方向の所定範囲内で進退可能である。操作リング２３は、撮像装置１がマニュアルフォーカス撮像モード（以下、「ＭＦ撮影モード」という）に設定されている場合、撮像装置１におけるピント位置を変更する指示信号の入力を受け付ける。また、操作リング２３は、撮像装置１が動画撮影モードまたは特殊効果処理モード（以下、「アート撮影モード」という）に設定されている場合、アート効果処理の内容またはエフェクト効果処理の内容を切り換える。具体的には、操作リング２３は、レンズ鏡筒１００の前方側（第１の位置）に位置している場合、アート効果処理の内容を切り換え、レンズ鏡筒１００の後方側（第２の位置）に位置している場合、撮像装置１のズーム倍率を切り換える。
【００５２】
アクチュエータ機構２４は、アクチュエータ２４１と、アクチュエータ駆動制御部２４２と、位置検出部２４３と、回転検出部２４４と、状態検出部２４５と、を有する。
【００５３】
ここで、可動コイルを用いた電磁型リニアモータのアクチュエータ２４１の詳細な構成について説明する。図７は、図３に示すアクチュエータ２４１の要部の構成を拡大した断面図である。図８は、図３に示すアクチュエータ２４１が光軸Ｏに沿う方向に移動した状態でアクチュエータ２４１の要部の構成を拡大した断面図である。図９は、アクチュエータ２４１の要部を拡大した断面図である。図１０は、アクチュエータ２４１の一部をなす弾性支持部材のジンバルバネの形状を示す平面図である。図１１は、アクチュエータ２４１の一部をなす厚さ方向に磁化された永久磁石の形状を示す平面図である。
【００５４】
図７〜図１１に示すように、可動コイルを用いた電磁型リニアモータのアクチュエータ２４１は、レンズ鏡筒１００に設けられる。具体的には、アクチュエータ２４１は、レンズ鏡筒１００の一部をなし、操作リング２３が回転自在に嵌合されたリング状の操作枠２５内に設けられる。アクチュエータ２４１は、レンズ鏡筒１００の径方向に沿って進退可能であり、操作リング２３の内周側に当接して操作リングを径方向に向けて押圧する。アクチュエータ２４１は、操作リング２３の内周側に当接可能な球状の接触部２４１ａと、接触部２４１ａを支持する支持部材２４１ｂと、略円錐形状をしたジンバルバネからなり、支持部材２４１ｂを介して接触部２４１ａを操作リング２３と接触させて操作リング２３を押圧する押圧位置と操作リング２３から所定の距離だけ離間した離間位置との間で進退可能に接触部２４１ａを操作リング２３に向けて付勢する支持バネ２４１ｃと、アクチュエータ制御部２６２の制御のもと、操作リング２３の径方向に進退可能であり、支持バネ２４１ｃを操作リング２３に向けて押圧する可動コイル２４１ｄと、略円柱状または多角柱状をなす内ヨーク２４１ｅと、内ヨーク２４１ｅの側面と対向する位置に設けられた外ヨーク２４１ｆと、外ヨーク２４１ｆの内周側に接合され、Ｃ字状の横断面を有する筒状の永久磁石２４１ｇと、可動コイル２４１ｄに駆動電圧を印加するフレキシブル基板２４１ｈと、状態検出部２４５によるアクチュエータ２４１の状態を検出する際に用いられる磁石片２４１ｉと、を有する。なお、本実施の形態１では、支持バネ２４１ｃおよび可動コイル２４１ｄが可動部として機能（図９に示す上下方向に移動）する。
【００５５】
可動コイルを用いた電磁型リニアモータのアクチュエータ機構２４の説明を続ける。
アクチュエータ駆動制御部２４２は、制御部２６の制御のもと、アクチュエータ２４１の駆動を制御する。具体的には、アクチュエータ駆動制御部２４２は、アクチュエータ２４１の可動コイル２４１ｄに印加する電圧を調整することにより、アクチュエータ２４１が操作リング２３に対して押圧する押圧力を調整する。
【００５６】
位置検出部２４３は、フォトインタラプタや導通センサ等を用いて構成され、光軸Ｏに沿う方向における操作リング２３の位置を検出し、検出結果を制御部２６へ出力する。位置検出部２４３は、操作リング２３の後方に設けられた接触部材２４３ａと、接触部材２４３ａと導通する導通部材２４３ｂと、を有する（図７および図８を参照）。位置検出部２４３は、接触部材２４３ａと導通部材２４３ｂとの接触状態を検出することにより、操作リング２３の光軸Ｏの位置を検出する。具体的には、位置検出部２４３は、接触部材２４３ａが導通部材２４３ｂと接触して導通した場合、操作リング２３が第２の位置としての後方側（図８を参照）に位置していることを検出し、接触部材２４３ａが導通部材２４３ｂと接触していない場合、操作リング２３が第１の位置としての前方側（図７を参照）に位置していると検出する。
【００５７】
回転検出部２４４は、エンコーダおよびフォトインタラプタを用いて構成され、操作リング２３の光軸Ｏ周りの回転角度を検出する。具体的には、回転検出部２４４は、操作リング２３に周方向に所定の間隔で設けられた複数の遮光片の通過をフォトインタラプタで検出し、このフォトインタラプタの出力信号に基づいて、操作リング２３の回転角度を検出する。なお、回転検出部２４４は、ポテンショメータを用いて構成されてもよい。また、回転検出部２４４は、２つのエンコーダを用いて操作リング２３の回転角度を検出してもよい。
【００５８】
状態検出部２４５は、少なくとも２以上のホール素子を用いて構成され、アクチュエータに設けられた磁石片２４１ｉの磁界の変化を検出することによって、操作リング２３に対するアクチュエータ２４１の押圧状態を検出する。具体的には、図９に示すように、状態検出部２４５は、ホール素子ＭＲ１と、ホール素子ＭＲ２と、ホール素子ＭＲ１およびホール素子ＭＲ２を支持する素子支持台２４５ａと、を有する。状態検出部２４５は、ホール素子ＭＲ１およびホール素子ＭＲ２がそれぞれ磁界の変化を検出することにより、接触部２４１ａの位置に関する情報を制御部２６へ出力する。
【００５９】
制御部２６は、ＣＰＵ（Central  Processing  Unit）等を用いて構成される。制御部２６は、バスＢＵ１を介して入力部１６から送信される指示信号に応じて撮像装置１を構成する各部に対して各種データの送信や指示信号の送信を行うことにより、撮像装置１の動作を統括的に制御する。また、制御部２６は、レリーズスイッチ１６２を介してセカンドレリーズ信号が入力された場合、撮像装置１における静止画撮影動作を開始する制御を行う。また、制御部２６は、動画スイッチ１６４を介して動画撮影レリーズ信号が入力された場合、撮像装置１における動画撮影動作を開始する制御を行う。ここで、撮像装置１における撮影動作とは、シャッタ駆動部７および撮像素子駆動部９の駆動によって撮像素子８が出力した画像データに対し、信号処理部１０、Ａ／Ｄ変換部１１および画像処理部１２が所定の処理を施す動作をいう。このように処理が施された画像データは、制御部２６の制御のもと、画像圧縮展開部１５で所定の形式にしたがって圧縮され、バスＢＵ１およびメモリＩ／Ｆを介して記録媒体１９に記録される。なお、本実施の形態では、記録媒体１９が記録部の一部をなしているが、記録媒体１９とは別に撮像装置１の内部に記録部の機能を有する記録領域を確保し、この記録領域に圧縮した画像データを記憶するようにしてもよい。
【００６０】
制御部２６の詳細な構成について説明する。制御部２６は、動画撮影判定部２６１と、アクチュエータ制御部２６２と、画像処理制御部２６３と、表示制御部２６４と、を有する。
【００６１】
動画撮影判定部２６１は、撮像装置１が動画撮影を行っているか否かを判定する。具体的には、動画撮影判定部２６１は、動画スイッチ１６４が操作されることにより、動画撮影を示すフラグがＳＤＲＡＭ２０内でオン状態になっているか否かを判定することにより、撮像装置１が動画撮影中であるか否かを判定する。
【００６２】
アクチュエータ制御部２６２は、レンズ情報記録部２２４が記録するレンズ情報、特殊効果処理情報記録部が記録する特殊効果処理情報および補助効果処理情報記録部２２３が記録する補助効果処理情報に基づいて、アクチュエータ駆動制御部２４２を介してアクチュエータ２４１を駆動し、アクチュエータ２４１が操作リング２３を径方向に向けて押圧する押圧力を制御することによって、操作リング２３が回転可能な範囲を規制する。また、アクチュエータ制御部２６２は、動画撮影判定部２６１によって撮像装置１が動画撮影を行っていると判定された場合、アクチュエータ駆動制御部２４２を介してアクチュエータ２４１を制御することにより、レンズ鏡筒１００の径方向に溝部２３１または溝部２３２が位置しているときのアクチュエータ２４１の先端位置を、撮像装置１が静止画撮影を行っているときの先端位置より所定の距離だけ退避させる。具体的には、アクチュエータ制御部２６２は、アクチュエータ２４１を溝部２３１から退避させることによって、アクチュエータ２４１の接触子２４１ａが操作リング２３に加える押圧力を低下させる。
【００６３】
画像処理制御部２６３は、撮像装置１が動画撮影を行っている際に、操作リング２３の位置、回転方向および回転角度に基づいて、画像処理部１２が実行する画像処理の内容を設定して画像処理部１２に実行させる。
【００６４】
表示制御部２６４は、表示部１７の表示態様を制御する。具体的には、表示制御部２６４は、撮像装置１が動画撮影を行っている場合において、撮像装置１がアート撮影モードであるとき、アート効果処理またはエフェクト効果処理に関するアイコンをライブビュー画像と合わせて表示部１７に表示させる。
【００６５】
バスＢＵ１は、撮像装置１の各部を接続する伝送路等を用いて構成される。バスＢＵ１は、撮像装置１の内部で発生した各種データを撮像装置１の各部に転送する。
【００６６】
ここで、上述した光学系２を保持するレンズ鏡筒１００の構成について詳細に説明する。図１２は、レンズ鏡筒１００の伸長状態における要部の構成を示す断面図である。以下、上述した図３および図１２を用いてレンズ鏡筒１００について説明する。
【００６７】
図３および図１２に示すように、レンズ鏡筒１００は、撮像素子８を固定する固定枠１０１と、光軸Ｏに沿う方向に進退駆動されるカム枠１０２と、カム枠１０２とともに、光軸Ｏに沿う方向に進退するフロートキー１０３と、カム枠１０２とともに、光軸Ｏに沿う方向に進退するガイド枠１０４と、第１レンズ群Ｇ１を保持する第１レンズ保持枠１０５ａを支持し、カム枠１０２の回転により光軸Ｏに沿う方向に進退する１群枠１０５と、カム枠１０２の回転により光軸Ｏに沿う方向に進退する第２レンズ群Ｇ２を保持する２群枠１０６と、カム枠１０２の回転により光軸Ｏに沿う方向に進退する第３レンズ群Ｇ３を保持する３群枠１０７およびシャッタ６を保持するシャッタ枠１０８からなる３群ユニット１０９と、光軸Ｏに沿う方向に進退可能に結合された第４レンズ群Ｇ４を保持する４群枠１１０と、第１レンズ群Ｇ１、第２レンズ群Ｇ２、第３レンズ群Ｇ３および第４レンズ群Ｇ４を介して入射した被写体光束に含まれる成分の高周波成分を除去するローパスフィルタ１１１ａを保持するセンサユニット枠１１１と、を有する。
【００６８】
固定枠１０１は、円筒状をなす。固定枠１０１には、外周部に光学系２のズーミング動作を行うためのズーム駆動ユニット（図示せず）が設けられている。また、固定枠１０１には、内周部に光学系２のフォーカシング動作を行うためのフォーカス駆動ユニット（図示せず）が配設されている。
【００６９】
カム枠１０２は、円筒状をなす。カム枠１０２は、固定枠１０１の内周部に回動および進退自在な状態で嵌入している。カム枠１０２は、ズーム駆動ユニットによって回転しながら沈胴状態にある位置（後方移動端：図３を参照）から撮影可能状態における短焦点位置であるワイド端（前方移動端：図１２を参照）にまで前方に繰り出される。カム枠１０２は、レンズ鏡筒１００が撮影可能な状態にある場合において、短焦点位置であるワイド端から長焦点位置であるテレ端までの間におけるズーミング動作中のとき、光軸Ｏに沿う方向に進退することなく、前方移動端において回転方向にのみ駆動される。
【００７０】
フロートキー１０３は、円筒状をなす。フロートキー１０３は、カム枠１０２に対して相対的に回転自在に嵌入されている。フロートキー１０３は、固定枠１０１に対して回転が規制された状態で、カム枠１０２とともに光軸Ｏに沿う方向へ進退可能に移動する。また、フロートキー１０３は、内周部で２群枠１０６および３群ユニット１０９を進退可能に保持するとともに、２群枠１０６および３群ユニット１０９の回転を規制している。
【００７１】
ガイド枠１０４は、円筒状をなす。ガイド枠１０４は、後端内周部にカム枠１０２の結合溝（図示せず）に嵌入するバヨネット突起（図示せず）を有する。ガイド枠１０４は、内周部に光軸Ｏに沿う方向に１群枠１０５を進退可能に支持するとともに、１群枠１０５の回転を規制している。また、ガイド枠１０４は、固定枠１０１の内周部に嵌入した状態で、カム枠１０２とバヨネット結合されて配置される。ガイド枠１０４は、固定枠１０１に対して回転が規制された状態で、光軸Ｏに沿う方向にカム枠１０２と一体に進退可能に移動する。
【００７２】
１群枠１０５は、円筒状をなす。１群枠１０５は、カム枠１０２とガイド枠１０４との間に嵌入された状態で配置される。１群枠１０５は、ガイド枠１０４により回転規制された状態で、カム枠１０２の回転によって進退駆動される。
【００７３】
２群枠１０６は、円筒状をなす。２群枠１０６は、フロートキー１０３の内周部に嵌入された状態で配置されている。２群枠１０６は、レンズ鏡筒１００の中央部で第２群レンズＧ２を保持する。２群枠１０６は、フロートキー１０３により回転が規制された状態で、カム枠１０２の回転によって光軸Ｏに沿う方向に進退駆動される。２群枠１０６は、カム枠１０２が後方移動端に位置する場合、シャッタ枠１０８の内周側に嵌入する（図３は、この状態を示している）。
【００７４】
３群枠１０７は、円筒状をなす。３群枠１０７は、３群レンズＧ３を保持する保持枠１０７ａを有し、保持枠１０７ａがシャッタ枠１０８内に嵌入した状態で、シャッタ枠１０８に固定されている。３群枠１０７は、フロートキー１０３の内部に嵌入した状態で配置される。３群枠１０７は、フロートキー１０３により回転規制された状態で、カム枠１０２によって進退駆動される。
【００７５】
シャッタ枠１０８は、円筒状をなす。シャッタ枠１０８は、シャッタ駆動部７等を保持する。
【００７６】
３群ユニット１０９は、３群枠１０７の前方側でシャッタ枠１０８を保持する。３群ユニット１０９と２群枠１０６との間には、コイルバネ１１２が配設されている。これにより、２群枠１０６および３群ユニット１０９は、互いに離間する方向に付勢されている。
【００７７】
４群枠１１０は、フォーカス駆動ユニットにより、固定枠１０１の内部で光軸Ｏに沿う方向に進退可能に支持される。４群枠１１０は、レンズ鏡筒１００が撮影可能な状態にある場合、フォーカス駆動ユニットにより適切なフォーカシング位置に調整される一方、レンズ鏡筒１００が沈胴動作時にフォーカス駆動ユニットにより所定の沈胴位置に位置決めされて配置される。
【００７８】
このようなレンズ鏡筒１００の詳細の構成は、たとえば本出願人による特願２０１０−２５２９９１号に記載されている。
【００７９】
つぎに、可動コイルを用いた電磁型リニアモータのアクチュエータ２４１の動作を説明する。アクチュエータ駆動制御部２４２が可動コイル２４１ｄに操作リング２３の回転を規制する所定の電圧を印加した場合、電磁作用により可動コイル２４１ｄが支持部材２４１bと同一部材である支持バネ２４１ｃに向けて移動する。この可動コイル２４１dの変化により、接触部２４１ａが操作リング２３の内周に当接して操作リング２３を径方向に向けて押圧する。これにより、接触部２４１ａが溝部２３１に接触して固定されることにより、ユーザによる操作リング２３の回転を規制することができる。
【００８０】
これに対して、アクチュエータ駆動制御部２４２が可動コイル２４１ｄに印加する電圧を上述した所定の電圧より小さくした場合、可動コイル２４１ｄが支持バネ２４１ｃの付勢力に反して操作リング２３の中心側に向けて移動する。これにより、ユーザが操作リング２３を回転させる場合、接触部２４１ａが溝部２３１または溝部２３２に接触する。さらに、接触部２４１ａは、操作リング２３の回転の際に溝部２３１に接触しながら移動するので、クリック音が生じるとともに、ユーザが操作リング２３の回転角度を容易に把握することができる。
【００８１】
さらに、アクチュエータ駆動制御部２４２が可動コイル２４１ｄに印加する電圧を停止した場合、支持部材２４１ｂおよび支持バネ２４１ｃが接触部２４１ａを操作リング２３に押圧する押圧位置から溝部２３１または溝部２３２から所定の距離離間した離間位置に移動する。この結果、ユーザが操作リング２３を回転させた場合であっても、接触部２４１ａが溝部２３１または溝部２３２に接触することがほとんどないので、クリック音が生じることを防止することができる。
【００８２】
以上の構成を有する撮像装置１が行う処理について説明する。図１３は、撮像装置１が実行する処理の概要を示すフローチャートである。
【００８３】
まず、撮像装置１が撮影モードに設定されている場合（ステップＳ１０１：Ｙｅｓ）について説明する。この場合、制御部２６は、操作リング調整操作があったか否かを判断する（ステップＳ１０２）。具体的には、制御部２６は、メニュースイッチ１６５から操作リング２３の押圧力を調整する指示信号が入力されたか否かを判断する。操作リング調整操作があった場合（ステップＳ１０２：Ｙｅｓ）、撮像装置１は、操作リング２３の押圧力を調整する操作リング調整処理を実行する（ステップＳ１０３）。
【００８４】
図１４は、図１３におけるステップＳ１０３の操作リング調整処理の概要を示すフローチャートである。
【００８５】
図１４に示すように、表示制御部２６４は、操作リング２３の押圧力を設定するセットメニュー画面を表示部１７に表示させる（ステップＳ２０１）。具体的には、図１５に示すように、表示制御部２６４は、セットメニュー画面Ｗ１を表示部１７に表示させる。セットメニュー画面Ｗ１には、操作リング２３に対するアクチュエータ２４１の押圧力の変更を受け付ける重いアイコンＡ１、普通アイコンＡ２および軽いアイコンＡ３が表示される。アクチュエータ制御部２６２は、ユーザがメニュースイッチ１６５を操作して重いアイコンＡ１、普通アイコンＡ２および軽いアイコンＡ３のいずれかが選択された場合、この選択に基づいて、操作リング２３に対するアクチュエータ２４１の押圧力を調整する。なお、図１５においては、初期設定で普通アイコンＡ２が選択された状態を示す。
【００８６】
続いて、メニュースイッチ１６５から押圧力を変更する指示信号が入力された場合（ステップＳ２０２：Ｙｅｓ）、アクチュエータ制御部２６２は、ホール素子ＭＲ１から信号Ｒ１を取得するとともに（ステップＳ２０３）、ホール素子ＭＲ２から信号Ｒ２を取得する（ステップＳ２０４）。
【００８７】
その後、アクチュエータ制御部２６２は、ホール素子ＭＲ１の信号Ｒ１およびホール素子ＭＲ２の信号Ｒ２の差信号（Ｒ１−Ｒ２）を、信号Ｒ１および信号Ｒ２の和信号（Ｒ１＋Ｒ２）で除算して差動出力Ｒ0（＝（Ｒ１−Ｒ２）／（Ｒ１＋Ｒ２））を算出する（ステップＳ２０５）。
【００８８】
続いて、アクチュエータ制御部２６２は、演算した差動出力Ｒ0とメニュースイッチ１６５から入力された指示信号とに基づいて、アクチュエータ２４１の駆動電圧を設定する（ステップＳ２０６）。
【００８９】
図１６は、アクチュエータ２４１の差動出力と押圧力との関係を示す図である。図１６において、横軸が差動出力を示し、縦軸が押圧力を示す。
【００９０】
図１６に示すように、アクチュエータ制御部２６２は、差動出力Ｒ0とメニュースイッチ１６５から入力された指示信号とに基づいて、アクチュエータ２４１の駆動電圧を設定する。具体的には、アクチュエータ制御部２６２は、差動出力Ｒ0がメニュースイッチ１６５から入力された指示信号、たとえば差動出力Ｒ0がＲMからＲHになるように、アクチュエータ２４１の駆動電圧を設定する。これにより、操作リング２３の押圧力を調整することができる。ステップＳ２０６の後、撮像装置１は、図１３のメインルーチンへ戻る。
【００９１】
ステップＳ２０２において、メニュースイッチ１６５を介して押圧力を変更する指示信号が入力されていない場合（ステップＳ２０２：Ｎｏ）、制御部２６は、セットメニュー画面を表示部１７に表示させてから所定時間経過したか否かを判断する（ステップＳ２０７）。所定時間経過したと制御部２６が判断した場合（ステップＳ２０７：Ｙｅｓ）、撮像装置１は、図１３のメインルーチンへ戻る。これに対して、所定時間経過していないと制御部２６が判断した場合（ステップＳ２０７：Ｎｏ）、撮像装置１は、ステップＳ２０１へ戻る。
【００９２】
図１３に戻り、ステップＳ１０４以降の説明を続ける。ステップＳ１０４において、電源スイッチ１６１が操作されることにより、撮像装置１の電源がオフになった場合（ステップＳ１０４：Ｙｅｓ）、撮像装置１は、本処理を終了する。これに対して、撮像装置１の電源がオフになっていない場合（ステップＳ１０４：Ｎｏ）、撮像装置１は、ステップＳ１０１へ戻る。
【００９３】
ステップＳ１０２において、操作リング調整操作がなかった場合（ステップＳ１０２：Ｎｏ）について説明する。この場合、制御部２６は、信号処理部１０およびＡ／Ｄ変換部１１を介して撮像素子８が生成したライブビュー画像を取得する（ステップＳ１０５）。
【００９４】
続いて、制御部２６は、操作リング２３が操作されたか否かを判断する（ステップＳ１０６）。操作リング２３が操作されたと制御部２６が判断した場合（ステップＳ１０６：Ｙｅｓ）、撮像装置１は、後述するステップＳ１０７へ移行する。これに対して、操作リング２３が操作されていないと制御部２６が判断した場合（ステップＳ１０６：Ｎｏ）、撮像装置１は、後述するステップＳ１０８へ移行する。
【００９５】
ステップＳ１０７において、撮像装置１は、操作リング２３の操作に応じて各種設定を変更する操作リング処理を実行する。
【００９６】
図１７は、図１３のステップＳ１０７における操作リング処理の概要を示すフローチャートである。なお、以下においては、撮像装置１の設定条件として、特殊効果処理および光学ズームが設定された場合について説明するが、シャッタスピード、ＩＳＯ感度、露出値、絞り値およびホワイトバランスのいずれであっても適用することができる。
【００９７】
図１７に示すように、位置検出部２４３は、光軸Ｏ方向における操作リング２３の位置を検出する（ステップＳ３０１）。
【００９８】
続いて、制御部２６は、操作リング２３が前方側に位置しているか否かを判断する（ステップＳ３０２）。具体的には、制御部２６は、位置検出部２４３の検出結果に基づいて、操作リング２３が前方側（第１の位置）に位置しているか否かを判断する。操作リング２３が前方側に位置していると制御部２６が判断した場合（ステップＳ３０２：Ｙｅｓ）、撮像装置１は、後述するステップＳ３０３へ移行する。これに対して、操作リング２３が前方側に位置していないと制御部２６が判断した場合（ステップＳ３０２：Ｎｏ）、撮像装置１は、後述するステップＳ３０８へ移行する。
【００９９】
ステップＳ３０３において、アクチュエータ制御部２６２は、特殊効果処理情報記録部２２２および補助効果処理情報記録部２２３がそれぞれ記録する情報に基づいて、操作リング２３をアート効果用の回転規制を行う（ステップＳ１０６）。
【０１００】
図１８は、アクチュエータ制御部２６２が行う操作リング２３の回転規制を説明する図である。図１８において、縦軸が操作リング２３の抵抗力を示し、横軸が操作リング２３の回転可能な角度を示す。なお、図１８においては、設定条件がアート効果処理である場合について説明する。さらに、図１８においては、特殊効果処理情報記録部２２２が記録するアート効果処理の数に対応させて説明する。さらにまた、図１８においては、撮影者側から見て右回りを正とし、操作リング２３が操作された時点を操作リング２３が回転可能な回転範囲の初期値（０°）の座標系とする。
【０１０１】
図１８に示すように、アクチュエータ制御部２６２は、特殊効果処理情報記録部２２２が記録するアート効果処理の数に対応させて操作リング２３が回転可能な溝部２３１の数を６に設定する。具体的には、アクチュエータ制御部２６２は、操作リング２３の回転により、接触部２４１ａが操作リング２３の溝部２３１を移動できる範囲を６箇所に設定することで、操作リング２３が回転可能な範囲を規制する。たとえば、隣接する溝部２３１の角度α＝５°とした場合、アクチュエータ制御部２６２は、操作リング２３が回転可能な角度の範囲を０°〜２５°に規制する（０°≦θ≦２５°）。
【０１０２】
さらに、アクチュエータ制御部２６２は、操作リング２３が操作された時点の位置を基準に操作リング２３が回転可能な範囲を設定する。たとえば、アクチュエータ制御部２６２は、Ａｒｔ１で操作リング２３の左回転ができないように、操作リング２３の操作を行った時点をＡｒｔ１に設定し、アクチュエータ２４１の押圧力を上げることにより、操作リング２３の左回転をロック状態に設定する。さらにまた、アクチュエータ制御部２６２は、Ａｒｔ６で操作リング２３の右回転ができないように、操作リング２３がＡｒｔ６の回転角度になった場合、アクチュエータ２４１の押圧力を上げることにより、操作リング２３の右回転をロック状態に設定する。これにより、操作リング２３が回転可能な範囲が規制され、アート効果処理の数に対応した範囲内で操作リング２３を回転することができる。この結果、ユーザは、操作中にアート効果処理の項目を簡易に変更することができる。なお、図１８において、アクチュエータ制御部２６２は、エフェクト効果処理の数を含めて操作リング２３が回転可能な範囲を設定してもよい。さらに、アクチュエータ制御部２６２は、入力部１６から入力される指示信号に応じて、操作リング２３の初期状態からの回転方向および回転範囲を設定してもよい。
【０１０３】
図１７に戻り、ステップＳ３０４以降の説明を続ける。ステップＳ３０４において、回転検出部２４４は、操作リング２３の回転位置を検出する。
【０１０４】
続いて、画像処理制御部２６３は、回転検出部２４４が検出した操作リング２３の回転角度に応じたアート効果処理を特殊効果画像処理部１２２に実行させる設定を行う（ステップＳ３０５）。なお、画像処理制御部２６３は、電源スイッチ１６１が操作されて、撮像装置１の電源がオン状態になった直後においては、アート効果処理を特殊効果画像処理部１２２に設定しなくてもよい。すなわち、画像処理制御部２６３は、画像データに対して、基本画像処理部１２１にのみ画像処理を実行させる。さらに、画像処理制御部２６３は、撮影モードやユーザによる設定に応じて、エフェクト効果を補助効果画像処理部１２３に設定してもよい。
【０１０５】
その後、表示制御部２６４は、撮像素子８から取得したライブビュー画像に対して、特殊効果画像処理部１２２が特殊効果処理を施したライブビュー画像を表示部１７に表示させ（ステップＳ３０６）、ライブビュー画像上に特殊効果アイコンおよび補助効果アイコンを表示部１７に表示させる（ステップＳ３０７）。具体的には、図１９に示すように、表示制御部２６４は、特殊効果画像処理部１２２が特殊効果処理を施したライブビュー画像Ｗ２を表示部１７に表示させるとともに、アート効果処理に関する特殊効果アイコンＡ１１〜Ａ１４およびアート効果処理を解除するリセットアイコンＡ５を表示させる。この際、表示制御部２６４は、現在設定されたアート効果処理、たとえば特殊効果アイコンＡ１を表示部１７にハイライト表示させる。さらに、表示制御部２６４は、アート効果処理に重畳可能なエフェクト効果処理に関する補助効果アイコンＡ２１を表示部１７に表示させる。なお、図１９においては、特殊効果処理の効果を斜線で表現した。ステップＳ３０７の後、撮像装置１は、図１３のメインルーチンへ戻る。
【０１０６】
ステップＳ３０２において、操作リング２３が前方側に位置していないと制御部２６が判断した場合（ステップＳ３０２：Ｎｏ）について説明する。この場合、アクチュエータ制御部２６２はレンズ情報記録部２２４が記録するレンズ情報に基づいて、操作リング２３を光学ズーム用の回転規制を行う（ステップＳ３０８）。具体的には、図２０に示すように、アクチュエータ制御部２６２は、レンズ情報に含まれるズームレンズ２ａのズーム倍率に基づいて、操作リング２３が回転可能な範囲を規制することにより、５段階のステップズーム（×１．０〜×５．０）を設定する。なお、図２０においては、ズームレンズ２ａによるズーム倍率を１倍〜５倍の場合を例に説明したが、光学系２のズーム倍率に応じて適宜設定することができる。また、図２０においては、光学ズームを例に説明しているが、撮像装置１の設定条件として、たとえば露出値、ＩＳＯ感度、ピント位置、ホワイトバランス、シャープネス、ピクチャーコントロール、シャッタスピードおよび絞り値等を用いて操作リング２３の回転規制を行ってもよい。さらに、撮像装置１の設定条件を組み合わせてもよい。たとえば、露出値とＩＳＯ感度とを組み合わせて操作リング２３の回転規制を行ってもよい。
【０１０７】
続いて、制御部２６は、回転検出部２４４が検出した操作リング２３の回転位置に応じて、ステップズームによる撮像装置１のズーム倍率を設定し（ステップＳ３１０）、ズーム倍率に基づいて、ズームレンズ駆動部３ａを駆動してズームレンズ２ａを光軸Ｏに沿って移動させる（ステップＳ３１１）。
【０１０８】
その後、表示制御部２６４は、現在のズーム倍率で撮像素子８が生成した画像データに対応するライブビュー画像を表示部１７に表示させ（ステップＳ３１２）、ライブビュー画像上にズーム倍率に関する情報をアイコンとして表示部１７に表示させる（ステップＳ３１３）。具体的には、図２１に示すように、表示制御部２６４は、現在のズーム倍率（画角）、たとえばズーム倍率２倍のライブビュー画像Ｗ３を表示部１７に表示させるとともに、ズームレンズ２ａによるズーム倍率に関するズームアイコンＡ３１〜Ａ３４を表示部１７に表示させる。ステップＳ３１３の後、撮像装置１は、図１３のメインルーチンへ戻り、ステップＳ１０８へ移行する。
【０１０９】
続いて、動画スイッチ１６４が操作された場合（ステップＳ１０８：Ｙｅｓ）、撮像装置１は、撮像素子８が連続的に生成する画像データを動画データとして記録する動画撮影処理を実行する（ステップＳ１０９）。
【０１１０】
図２２は、図１３のステップＳ１０９の動画撮影処理の概要を示すフローチャートである。
【０１１１】
図２２に示すように、動画撮影判定部２６１は、撮像装置１が動画撮影中であるか否かを判断する（ステップＳ４０１）。具体的には、動画撮影判定部２６１は、ＳＤＲＡＭ２０に動画撮影中であることを示すフラグが記録されているか否かを判定することにより、撮像装置１が動画撮影中であるか否かを判定する。撮像装置１が動画撮影中であると動画撮影判定部２６１が判定した場合（ステップＳ４０１：Ｙｅｓ）、撮像装置１は、後述するステップＳ４０４へ移行する。これに対して、撮像装置１が動画撮影中でないと動画撮影判定部２６１が判定した場合（ステップＳ４０１：Ｎｏ）、撮像装置１は、後述するステップＳ４０２へ移行する。
【０１１２】
ステップＳ４０２において、アクチュエータ制御部２６２は、アクチュエータ２４１の駆動を停止する。
【０１１３】
図２３は、アクチュエータ制御部２６２が動画撮影時において行う操作リング２３の回転規制を説明する図である。なお、図２３においては、設定条件がアート効果処理である場合について説明する。さらに、図２３においては、特殊効果処理情報記録部２２２が記録するアート効果処理の数に対応させて説明する。
【０１１４】
図２３に示すように、アクチュエータ制御部２６２は、アクチュエータ２４１を停止することにより、操作リング２３に対する押圧力を低下させる（図２３（ａ）→図２３（ｂ））。たとえば、アクチュエータ制御部２６２は、アクチュエータ駆動制御部２４２が可動コイル２４１ｄに印加する電圧を停止させることにより、接触部２４１ａを溝部２３１に向けて接触させて操作リング２３を押圧する押圧位置から溝部２３１から所定距離だけ離間した離間位置に支持バネ２４１ｃを移動させる。これにより、操作リング２３が回転することによって生じるクリック音を防止することができ、一連の動画撮影において操作リング２３を操作しても、クリック音が記録されることを防止することができる。
【０１１５】
続いて、制御部２６は、動画撮影を開始する（ステップＳ４０３）。具体的には、制御部２６は、撮像素子８が連続的に生成する画像データを時系列に沿って順次記録する動画ファイルをＳＤＲＡＭ２０に作成し、この動画ファイルに画像データを時系列に沿って順次記録する。ステップＳ４０３の後、撮像装置１は、図１３のメインルーチンへ戻り、ステップＳ１０４へ移行する。
【０１１６】
ステップＳ４０４において、アクチュエータ制御部２６２は、アクチュエータ２４１の駆動を開始する。具体的には、図２３に示すように、アクチュエータ制御部２６２は、アクチュエータ２４１の駆動を開始することにより、操作リング２３の押圧力を復帰させる（図２３（ｂ）→図２３（ａ））。
【０１１７】
続いて、制御部２６は、動画撮影を終了する（ステップＳ４０５）。具体的には、制御部２６は、ＳＤＲＡＭ２５の動画ファイルに記録された一連の画像データを記録媒体１９に記録する。ステップＳ４０５の後、撮像装置１は、図１３のメインルーチンへ戻り、ステップＳ１０４へ移行する。
【０１１８】
ステップＳ１０９において、動画スイッチ１６４が操作されていない場合（ステップＳ１０８：Ｎｏ）について説明する。この場合において、レリーズスイッチ１６２が操作されてレリーズ信号が入力されたとき（ステップＳ１１０：Ｙｅｓ）、撮像装置１は、撮影を実行する（ステップＳ１１１）。具体的には、制御部２６は、撮像素子駆動部９を駆動することにより、撮像素子８に撮像を実行させて静止画の画像データを生成させる。
【０１１９】
続いて、制御部２６は、撮像素子８が生成した画像データを記録媒体１９に記録させる（ステップＳ１１２）。この際、制御部２６は、画像処理部１２が画像処理を施した処理画像データおよび画像圧縮展開部１５が圧縮した画像データを記録媒体１９に記録させる。なお、制御部２６は、撮像素子８が生成した画像データ（ＲＡＷデータ）を記録媒体１９に記録させてもよい。
【０１２０】
その後、表示制御部２６４は、撮像した画像データに対応する画像を表示部１７にレックビュー表示させる（ステップＳ１１３）。ステップＳ１１３の後、撮像装置１は、ステップＳ１０４へ移行する。
【０１２１】
ステップＳ１１１において、レリーズスイッチ１６２を介してレリーズ信号が入力されていない場合（ステップＳ１１０：Ｎｏ）、撮像装置１は、ステップＳ１０４へ移行する。
【０１２２】
ステップＳ１０１において、撮像装置１が撮影モードに設定されていない場合（ステップＳ１０１：Ｎｏ）において、撮像装置１が再生モードに設定されているとき（ステップＳ１１４：Ｙｅｓ）、撮像装置１は、記録媒体１９に記録された画像データを再生して表示部１７に表示させる再生表示処理を実行する（ステップＳ１１５）。ステップＳ１１５の後、撮像装置１は、ステップＳ１０４へ移行する。
【０１２３】
ステップＳ１０１において、撮像装置１が撮影モードに設定されていない場合（ステップＳ１０１：Ｎｏ）において、撮像装置１が再生モードに設定されていないとき（ステップＳ１１４：Ｎｏ）、撮像装置１は、ステップＳ１０４へ移行する。
【０１２４】
以上説明した本発明の一実施の形態によれば、アクチュエータ制御部２６２がＦｌａｓｈメモリ２２によって記録された光学系２の性能に関するレンズ情報および画像処理部１２が行うアート効果処理に関する特殊効果処理情報に基づいて、アクチュエータ２４１を駆動してレンズ鏡筒１００に設けられた操作リング２３に対する接触部２４１ａの押圧力を制御することによって、操作リング２３が回転可能な範囲を規制する。この結果、撮像装置１に設定された設定条件の数に応じて操作リング２３に適切な操作性を持たせることができる。
【０１２５】
さらに、本発明の一実施の形態によれば、アクチュエータ制御部２６２が入力部１６から操作リング２３に対するアクチュエータ２４１の押圧力を変更する指示信号が入力された場合、指示信号に応じた押圧力に調整するので、より操作リング２３の操作性を向上させることができる。
【０１２６】
なお、本発明の一実施の形態では、アクチュエータ制御部２６２がレンズ情報記録部２２４によって記録されたレンズ情報に基づいて、操作リング２３が回転可能な範囲を規制していたが、ほかにも絞り値（たとえば−３、−２、−１、＋１、＋２、＋３の６段階）、ＩＳＯ感度、ホワイトバランス、シャッタスピードおよび焦点距離を含む撮影パラメータに基づいて、操作リング２３が回転可能な範囲を規制してもよい。具体的には、入力部１６から入力される指示信号に応じて、アクチュエータ制御部２６２が参照する撮影パラメータを設定してもよい。さらに、アクチュエータ制御部２６２は、複数の撮影パラメータのいずれか一つを用いて操作リング２３が回転可能な範囲を規制してもよい。
【０１２７】
また、本発明の一実施の形態では、撮像装置１に対して着脱自在な電子ビューファイダにライブビュー画像および操作リング２３で操作可能な撮影パラメータおよび画像処理部１２の画像処理情報を表示させてもよい。この場合、レリーズスイッチ１６２からファーストレリーズ信号が入力された場合、電子ビューファインダに表示された各種情報を削除するようにしてもよい。
【０１２８】
（変形例１）
つぎに、本発明の一実施の形態の変形例１について説明する。本実施の形態の変形例１は、上述した本実施の形態にかかるアクチュエータおよび状態検出部の構成のみ異なる。このため、以下においては、本実施の形態の変形例１にかかる撮像装置のアクチュエータおよび状態検出部を説明する。なお、以下においては、上述した本実施の形態と同一の部分には同一の符号を付して説明する。
【０１２９】
図２４は、本実施の一実施の形態の変形例１にかかるレンズ鏡筒の沈胴状態における要部の構成を示す断面図である。図２５は、図２４のアクチュエータ機構の一部をなすアクチュエータおよび状態検出部の要部を拡大して模式的に示す図である。
【０１３０】
図２４および図２５に示すように、可動磁石を用いた電磁型リニアモータのアクチュエータ３００は、操作枠２５の内部に設けられる。アクチュエータ３００は、操作リング２３の溝部２３１または溝部２３２に接触する接触部３０１と、接触部３０１を支持する支持部材３０２と、円錐状をなすジンバルバネ形状で、外ヨーク３０８の突起部に嵌合されて位置決めされた）支持バネ３０３からなり、この支持バネ３０３は支持部材３０２を介して接触部３０１を溝部２３１または溝部２３２に向けて接触させて操作リング２３を押圧する押圧位置と溝部２３１または溝部２３２から所定距離だけ離間した離間位置との間で進退可能に接触部３０１を操作リング２３に向けて付勢する。また、アクチュエータ３０は、略円柱状または多角柱状をなす内ヨーク３０４と、内ヨーク３０４に設けられ、厚み方向に磁化された永久磁石３０５と、内ヨーク３０４の下部の凹部に接合されたストッパ３０６と、内ヨーク３０４およびストッパ３０６とを支持する支持台３０７と、支持台３０７の一方に設けられ、ボビン３０９に接合された空芯の固定コイル３１０の内周に配置された外ヨーク３０８とを有する。この外ヨーク３０８は、支持台３０７に立設する。アクチュエータ３００は、固定コイル３１０を通電することで、固定コイル３１０と永久磁石３０５との電磁作用が発生する。この電磁作用で、永久磁石３０５が操作リング２３の径方向（図２５では上下方向）に進退可能となる。アクチュエータ３００の状態を検出する際に用いられる状態検出用の磁石片３１１と、を有する。
【０１３１】
アクチュエータ３００を有するアクチュエータ機構の状態検出部３２０は、ホール素子ＭＲ１と、ホール素子ＭＲ２と、ホール素子ＭＲ１およびホール素子ＭＲ２を支持する素子支持台３２１と、この素子支持台３２１は支持台３０７に設けられる。状態検出部３２０は、ホール素子ＭＲ１およびホール素子ＭＲ２が磁石片３１１の位置において、それぞれ磁界の変化を検出することにより、接触部３０１の位置に関する情報を制御部２６へ出力する。
【０１３２】
このように構成されたアクチュエータ３００は、アクチュエータ駆動制御部２４２が固定コイル３１０に電圧を印加することにより、固定コイル３１０に流れる電流と隙間に発生する磁束との電磁作用が発生する。この電磁作用により永久磁石３０５が操作リング２３の径方向に移動し、支持部材３０２が図２５に示す上下方向に移動する。これにより、接触部３０１が操作リング２３を径方向に向けて押圧する。この結果、ユーザが操作リング２３を回転させる場合、接触部３０１と溝部２３１または溝部２３２とが接触する。すなわち、アクチュエータ３００は、固定コイル３１０に印加される電圧が調整されることにより、操作リング２３に対する押圧力を調整することができる。さらに、状態検出部３２０は、ホール素子ＭＲ１およびホール素子ＭＲ２がそれぞれ信号を制御部２６に出力することにより、操作リング２３に対応するアクチュエータ３００の状態を制御部２６へ出力することができる。
【０１３３】
（変形例２）
つぎに、本発明の一実施の形態にかかる変形例２について説明する。本実施の形態の変形例２では、アクチュエータの一部に、ポリマアクチュエータ（高分子アクチュエータともいう）を適用する。このため、以下においては、上述した実施の形態と同一の部分には同一の符号を付して説明する。
【０１３４】
図２６は、本発明の一実施の形態の変形例２にかかるアクチュエータ機構の一部をなすアクチュエータの要部を拡大して模式的に示す断面図である。図２７は、図２６のアクチュエータの要部の平面図である。
【０１３５】
図２６および図２７に示すように、アクチュエータ４００は、操作リング２３の溝部２３１または溝部２３２に接触する鋼球またはセラミック材料で形成された接触部４０１と、円筒状をなし、接触部４０１を操作リング２３に向けて付勢するコイルバネ４０２と、円筒状をなし、コイルバネ４０２が載置される台座４０３と、台座４０３に接続され、コイルバネ４０２を操作リング２３に向けて押圧するジンバルバネ形状のポリマアクチュエータ４０４と、ポリマアクチュエータ４０４を支持する支持部４０５と、ポリマアクチュエータ４０４の３箇所に設けられた正の電極４０６と、ボンディングワイヤー４０７を介して電極端子板を介して電圧を電極４０６に印加する。また、負の電極４０８は背面一面とし、電極端子４０８を配置する。そして、上面に配置された複数個を有する正の電極（正極端子）４０６は、電極端子板４０６ａを用いて構成される。また、背面に形成された負の電極（負極端子）４０８は、アースに接続される。さらに、接触部３０１の位置を検出するためにポリマアクチュエータ４０４の歪を検出する歪検出部４０９と、ポリマアクチュエータ４０３の状態を検出する際に用いられる状態検出用の磁石片４１０との何れか１つを備える。さらに、ポリマアクチュエータ４０４は、操作枠２５の内部にネジ等で位置を決めて固定する際のネジ孔４０４ａおよび位置決め孔４０４ｂを有する。
【０１３６】
アクチュエータ４００を有するポリマアクチュエータ機構の状態検出部４２０は、ホール素子ＭＲ１と、ホール素子ＭＲ１を支持する支持部材（図示せず）とを有する。コイルバネ４０２に接合された磁石片４１０が変位した場合、状態検出部４２０は、ホール素子ＭＲ１が磁石片４１０の変位に応じて磁界の変化を検出することによって、接触部４０１の状態を検出し、この検出結果を制御部２６へ出力する。
【０１３７】
このように構成されたアクチュエータ４００は、アクチュエータ駆動制御部２４２がポリマアクチュエータ４０４に所定の向きの電圧を印加することにより、圧電効果によってポリマアクチュエータ４０４の形状が伸長し、接触部４０１が図２６の矢印に示す方向（図２６の上下方向）に押圧される。これにより、ユーザが操作リング２３を回転または前後に移動させる場合、ポリマアクチュエータ４０４に印加される電圧を調整することで、操作リング２３に生じる抵抗力を変化させ、操作リング２３の回転可能な範囲を規制することができる。
【０１３８】
（変形例３）
つぎに、本発明の一実施の形態の変形例３について説明する。本実施の形態の変形例３は、上述した実施の形態の変形例２にかかるアクチュエータの構成をさらに簡略した。このため、以下においては、上述した実施の形態と同一の部分には同一の符号を付して説明する。
【０１３９】
図２８は、本実施の一実施の形態の変形例３にかかるアクチュエータ機構の一部をなすアクチュエータの要部を拡大して模式的に示す断面図である。
【０１４０】
図２８に示すように、アクチュエータ５００は、操作リング２３の溝部２３１または溝部２３２に接触する接触部５０１と、接触部５０１を接着剤５０１ａによって支持する支持部材５０２と、支持部材５０２を介して接触部５０１を操作リング２３側に押圧するための撓み変位可能なジンバル形状のポリマアクチュエータ５０３と、ポリマアクチュエータ５０３に電圧を印加する電極５０４と、ポリマアクチュエータ５０３が載置される台座５０５と、台座５０５を操作リング２３に向けて押圧するジンバルバネ５０６と、ポリマアクチュエータ５０３を支持する支持部材５０７と、ポリマアクチュエータ５０３の状態を検出する際に用いられる状態検出用の磁石５０８と、を備える。ポリマアクチュエータ５０３は、一部が可動部側５０７ａに支持され、ポリマアクチュエータ５０３の重心を通り、一部と対向する他部がアクチュエータ支持部材５０７ｂに支持される。電極５０４は、一対（正および負電極）の輪帯電極５０４ａ、５０４ｂを用いて構成される。ジンバルバネ５０６は、接触部５０１を操作リング２３に対する押圧状態から所定距離だけ離間した離間位置に移動させる。具体的には、ジンバルバネ５０６は、ポリマアクチュエータ５０３に電力が供給されていないときの位置で接触部５０１の高さを維持する。
【０１４１】
アクチュエータ５００を有するポリマアクチュエータ機構の状態検出部５２０は、ホール素子ＭＲ１と、ホール素子ＭＲ１を支持する支持部材（図示せず）とを有する。状態検出部５２０は、ホール素子ＭＲ１が磁界の変化を検出することによって、アクチュエータ５００の状態を検出し、この検出結果を制御部２６へ出力する。
【０１４２】
このように構成されたアクチュエータ５００は、ポリマアクチュエータ５０３に電圧が印加されることにより、圧電効果によってポリマアクチュエータ５０３の形状が伸長し、接触部５０１が図２８の矢印に示す方向（図２８の上下方向）に押圧される。これにより、ユーザが操作リング２３を回転または前後に移動させる場合、ポリマアクチュエータ５０３に印加する電圧を調整することで、操作リング２３に生じる抵抗力を変化させ、操作リング２３の回転可能な回転範囲を規制することができる。
【０１４３】
（変形例４）
つぎに、本発明の一実施の形態にかかる変形例４について説明する。本実施の形態の変形例４では、上述した実施の形態にかかるアクチュエータおよび状態検出部の構成が異なる。このため、以下においては、本実施の形態の変形例４にかかる撮像装置の可動コイルを用いた電磁型リニアモータのアクチュエータおよび上下に移動する接触部６０１の位置状態検出部を説明する。なお、以下においては、上述した本実施の形態と同一の部分には同一の符号を付して説明する。
【０１４４】
図２９は、本発明の一実施の形態の変形例４にかかる可動コイルを用いた電磁型アクチュエータ機構の一部をなすアクチュエータおよび状態検出部の要部を拡大して模式的に示す断面図である。図３０は、図２９のアクチュエータの要部の平面図である。
【０１４５】
図２９および図３０に示すように、アクチュエータ６００は、操作リング２３の溝部２３１または溝部２３２に接触する接触部６０１と、接触部６０１を支持する支持部材６０２と、円錐状をなすジンバルバネからなる支持バネ６０３と、支持バネ６０３の鉛直方向の移動を規制するストッパ６０４と、円柱状をなし、支持バネ６０３を介して接触部６０１を操作リング２３に向けて押圧する可動コイル６０５と、直方体をなす内ヨーク６０６と、内ヨーク６０６の側面と対向する位置に設けられた外ヨークに接合された永久磁石６０７と、支持バネ６０３を支持する支持部材６０８と、内ヨーク６０６、外ヨークに接合され、厚さ方向に磁化された永久磁石６０７および支持部材６０８を支持する支持台６０９と、アクチュエータ６００の状態を検出する際に用いられる厚さ方向に磁化された磁石片６１０と、を有する。さらに、支持台６０９は、操作枠２４６の内部にネジで位置を決めて固定する際のネジ孔６０９ａおよび位置決めピン６０９ｂ〜６０９ｄを有する。さらに、支持台６０９は、ネジ６１１によってホール素子支持台６２１を固定するネジ孔６０９ｅを有する。
【０１４６】
アクチュエータ６００を有するアクチュエータ機構の状態検出部６２０は、ホール素子ＭＲ１と、ホール素子ＭＲ２と、ホール素子ＭＲ１およびホール素子ＭＲ２を支持するホール素子支持台６２１と、を有する。状態検出部６２０は、ホール素子ＭＲ１およびホール素子ＭＲ２がそれぞれ磁界の変化を検出する（接触部３０１が上下方向に移動した場合に磁石片６１０の位置も移動する。）ことによって、アクチュエータ５００の接触部３０１の位置状態を検出し、この検出結果を制御部２６へ出力する。
【０１４７】
このように構成されたアクチュエータ６００は、アクチュエータ駆動制御部２４２から可動コイル６０５に電圧を印加した場合、可動コイルに通電すると、可動コイルを流れる電流と直交するギャップ内の磁束とによって電磁作用が働く。この電磁作用により可動コイル６０５がレンズ鏡筒１００の径方向に移動することによって、接触部６０１が操作リング２３をレンズ鏡筒１００の径方向に向けて押圧する。これにより、ユーザが操作リング２３を回転する場合、接触部６０１が溝部２３１または溝部２３２と接触する。すなわち、可動コイル型の電磁リニアモータであるアクチュエータ６００は、可動コイル６０５に印加される電圧が調整されることにより、操作リング２３に対する押圧力を調整することができる。さらに、アクチュエータ６００は、可動コイル６０５の印加が停止した場合、ストッパ６０４が支持バネ６０３の鉛直方向の移動を規制するので、接触部６０１が操作枠（不図示）に形成する案内するガイド側壁の下面から外れることなく、常に接触部６０１が操作リング２３の溝部２３１または溝部２３２に接触する。
【０１４８】
なお、本発明の一実施の形態の変形例４では、永久磁石６０７が１箇所であったが、内ヨーク６０６を囲むように複数箇所、たとえば３箇所に設けてもよい（図３０に２点鎖線で示す）。
【０１４９】
また、本発明の一実施の形態の変形例４では、支持バネ６０２の形状を変更することができる。具体的には、図３１および図３２に示すジンバルバネ形状をなす支持バネ６３１と、接触部６０１を支持する支持台６０２とを用いてアクチュエータ６３０を構成してもよい。
【０１５０】
（変形例５）
つぎに、本発明の一実施の形態の変形例５について説明する。本実施の形態の変形例５は、上述した実施の形態２の変形例２とアクチュエータおよび状態検出部の構成が異なる。このため、以下においては、本実施の形態の変形例５にかかる撮像装置のアクチュエータおよび状態検出部を説明する。なお、以下においては、上述した実施の形態と同一の構成には同一の符号を付して説明する。
【０１５１】
図３３は、本発明の一実施の形態の変形例５にかかるアクチュエータ機構の一部をなすアクチュエータの要部を拡大して模式的に示す断面図である。
【０１５２】
図３３に示すように、アクチュエータ７００は、操作リング２３の溝部２３１または溝部２３２に接触する接触部７０１と、接触部７０１を支持する支持部材７０２と、支持部材７０２を介して操作リング２３に向けて押圧するポリマアクチュエータ７０３と、ポリマアクチュエータ７０３が鉛直方向下向きに移動することを規制するストッパ７０４と、円筒状をなし、ポリマアクチュエータ７０３を操作リング２３に向けて付勢するコイルバネ７０５と、ポリマアクチュエータ７０３、ストッパ７０４およびコイルバネ７０５を支持する支持台７０６と、接触部３０１の位置の状態を検出する際の磁石片７０７を備える。ポリマアクチュエータ７０３は、ネジ７０８を介してリング状の操作枠２４６に設けられる。
【０１５３】
アクチュエータ７００を有するポリマアクチュエータ機構の状態検出部７２０は、ホール素子ＭＲ１と、ホール素子ＭＲ２と、ホール素子支持部７２１と、を有する。ホール素子支持部７２１は、支持台７０６に接続される。
【０１５４】
このように構成されたアクチュエータ７００は、アクチュエータ駆動制御部２４２がポリマアクチュエータ７０３に電圧を印加することにより、圧電効果によってポリマアクチュエータ７０３の形状が伸長し、接触部７０１が操作リング２３をレンズ鏡筒１００の径方向に向けて押圧する。これにより、ユーザが操作リング２３を回転させる場合、接触部７０１が溝部２３１または溝部２３２と接触する。すなわち、アクチュエータ７００は、ポリマアクチュエータ７０３に印加される電圧が調整されることにより、操作リング２３の押圧力を調整することができる。さらに、アクチュエータ７００は、ポリマアクチュエータ７０３の印加が停止した場合、ストッパ７０４がポリマアクチュエータ７０３の鉛直方向の移動を規制するので、接触部３０１が操作枠２４６に形成された案内するガイド側壁の下面から外れることなく、常に接触部７０１を操作リング２３の溝部２３１または溝部２３２に接触させることができる（非接触の状態）。
【０１５５】
（変形例６）
本発明の実施の形態では、操作リング２３が操作された場合、ズームレンズ２ａによるズーム倍率を変更していたが、たとえば、撮像装置１のピント領域を拡大して表示部１７に表示させてもよい。
【０１５６】
図３４は、操作リング２３の操作に応じて撮像装置１のピント領域を拡大して撮像装置１のピントを調整する際の画面遷移の一例を示す図である。
【０１５７】
図３４に示すように、表示制御部２６４は、レリーズスイッチ１６２を介してファーストレリーズ信号が入力された場合、撮像装置１のピント位置を調整する測距エリアＡ１〜Ａ７をライブビュー画像Ｗ４に重畳して表示部１７に表示させる（図３４（ａ））。
【０１５８】
続いて、表示制御部２６４は、測距エリアＡ１〜Ａ７のいずれかが選択された場合、選択された測距エリアを拡大して表示部１７に表示させる。具体的には、表示制御部２６４は、ユーザが操作リング２３を操作して測距エリアＡ７を選択した場合、測距エリアＡ７を拡大して表示部１７に表示させるとともに、この測距エリアをさらに拡大する拡大領域Ｂ１〜Ｂ４を表示部１７に表示させる（図３４（ａ）→図３４（ｂ））。
【０１５９】
その後、表示制御部２６４は、操作リング２３の操作に応じて、拡大領域の選択表示を切り替える。たとえば、ユーザが操作リング２３を操作することにより、拡大領域Ｂ２から拡大領域Ｂ４に選択を切り替えた場合（図３４（ｂ）→図３４（ｃ））、表示制御部２６４は、選択された拡大領域Ｂ４を表示部１７にハイライト表示を行う。
【０１６０】
続いて、表示制御部２６４は、入力部１６によって拡大領域Ｂ１〜Ｂ４のいずれかが選択された場合、選択された拡大領域を分割した拡大分割画像を表示部１７に表示させる。具体的には、表示制御部２６４は、拡大領域Ｂ４が選択された場合、拡大領域Ｂ４をさらに拡大して分割した拡大分割画像Ｃ１〜Ｃ４を表示部１７に表示させる（図３４（ｃ）→図３４（ｄ））。これにより、ユーザは、操作リング２３を操作しながら、被写体に対する撮像装置１のピントを調整することができる。
【０１６１】
（その他の実施の形態）
本発明において、撮像装置１に対して、電子ビューファインダ（ＥＶＦ）、音声入出部、被写体に対して補助光（フラッシュ）を発光する補助光発光部、インターネットを介して外部の装置と双方向に通信を行う機能を有する通信部等をさらに設けてもよい。
【０１６２】
また、上述した実施の形態では、操作リングに二つの溝部を設けていたが、本発明において、たとえば、操作リングに一つの溝部のみ設け、特殊効果のみ行ってもよい（補助効果は省略）。これにより、操作リングが光軸Ｏ方向に移動することを省くことができる。この結果、被写体側に最も飛び出した側壁端までの光軸Ｏ方向の寸法を短縮することができ、レンズ鏡筒を薄型化することができる。
【０１６３】
ところで、従来の技術において、特殊効果の種類は動画撮影時と静止画撮影時に使用可能な特殊効果が異なる等、仕様によりさまざまに変更したい要望がある。たとえば、操作リングの１クリックを５°とした場合に、操作リングに３６個の溝部が必要となる。このため、操作リングの内周に多数の溝部を形成した場合、溝部の数が多い分だけ余分な製造工数がかかるという問題点がある。そこで、本発明において、アクチュエータ制御部が操作リングの１クリック毎の回転角度を設定できるようにしてもよい。たとえば、アクチュエータ制御部は、特殊効果の数に応じて、アクチュエータの接触部が操作リングの溝部に当接する間隔を調整することにより、１クリック毎の回転角度を設定してもよい。これにより、特殊効果の数や溝部の数が変更した場合であっても、簡易な操作をユーザに提供することができる。
【０１６４】
また、本発明において、たとえば、操作リング内に溝部が半周で１８個が形成されている場合において、特殊効果（６種類）＋補助効果（５種類）の合計を１１種類とするとき、７個の溝部を使用しないようにしてもよい。この場合、アクチュエータ制御部がアクチュエータの押圧力を制御することにより、７個の溝部の位置で操作リングの内周側に形成された溝部に押圧する接触部を所定の距離だけ退避させればよい。
【０１６５】
また、本発明においては、仕様の変更で特殊効果を増加させる場合であっても、操作リングの回転範囲を規制することができる。
【０１６６】
また、本発明において、特殊効果と補助効果の割り当てをそれぞれ分離してもよい。たとえば、操作リングの半周分の溝部に特殊効果を割り当て、残りの半周分の溝部に補助効果を割り当ててもよい。この際、アクチュエータ制御部は、特殊効果または補助効果の割り当てが行われていない溝部に対して、操作リングの回転時に接触部が溝部に当接しないように溝部を飛び越さすように、アクチュエータの押圧力を制御してもよい。
【０１６７】
さらに、本発明において、アクチュエータ制御部は、撮像装置が動画撮影を行っている場合において、動画撮影で適用できない特殊効果または補助効果があるとき、この特殊効果または補助効果に割り当てられた溝部を飛び越すようにアクチュエータの押圧力を制御してもよい。また、特開２０１０-３９３８５号公報のアクチュエータとしての圧電素子と位置検出部とを備えた撮像装置において、アクチュエータ制御部は、圧電素子の位置信号を検出し、駆動回路のオン、オフ制御により圧電素子の押圧力を制御してもよい。
【０１６８】
また、本発明においては、特開２００８−２４９７８２号公報に開示されたカメラ本体に着脱自在なレンズ装置およびカメラ本体に着脱可能なコンバータ鏡筒に対して、光軸Ｏを中心に回動自在なリング状をなす操作リングを設け、この操作リングに対して上述した実施の形態で説明したアクチュエータ機構（クリック機構）を使用することも可能である。
【０１６９】
また、本発明において、設定条件として、特殊効果と補助効果の切り替え機構について説明したが、シャッタスピード、ＩＳＯ感度、露出値、絞り値、ホワイトバランス、レンズ鏡筒のズームポジション、マニュアルフォーカスモード時のピント位置などを用いることができる。特に、操作リング２３が操作された時点で、ワイドとテレ間におけるズーム速度の変化量を異ならせる場合にも用いることができる。具体的には、ズーム駆動部がズーム光学系を光軸に沿って移動させる際に位置検出部によって操作リングが第２の位置に位置していると検出された場合において、操作リングが回転されたとき、光学系における現在の焦点距離とズーム倍率情報とに基づいて、光学系を光軸に沿って移動させる際のズーム速度の変化量を異ならせる場合にも適用することができる。たとえば、光学系の現在の焦点距離が小さい場合において、操作リングの回転量が大きいとき、回転量に応じた焦点距離に瞬時に到達するようにズーム駆動部による光学系のズーム速度の変化量を大きくしてもよい。
【０１７０】
また、本発明では、ＮＤフィルタと特殊効果との切り替え機構であっても適用することができる。具体的には、ＮＤフィルタの一例として、たとえば特開２０１０−６１００２号公報に示す複数のＮＤフィルタを備えるとともに、光路から退避した位置に設けられた回動軸を中心として回動可能に設けられて、回動することによって複数のＮＤフィルタを選択的に光路上に位置付ける動力伝達機構において、上述した実施の形態で説明したアクチュエータ機構を、ＮＤフィルタを光路上に位置付けるターレットに配置してもよい。これにより、動画撮影時に光軸上の中心に所望のＮＤフィルタの中心を一致させたときのクリック動作時に駆動音を発生することを防止することができる。
【０１７１】
また、本発明においては、画像処理部（画像エンジン）を複数設け、基本画像処理とアート効果処理とをそれぞれ別に実行させてもよい。これにより、画像データに対する画像処理のスピードを向上させることができる。具体的には、エフェクトとの組み合わせたアートフィルタブラケット撮影時において、アートフィルタとアートエフェクトの選択肢がありすぎて、好みもいろいろある。このため、カメラ本体の画面操作（GUI）でアートブラケット撮影のカスタムライズを選択すれば、お好みのアートの画像処理で取得できる。また、ＲＡＷ撮影後に好みのアートフィルタの画像処理する面倒なことがなくなる。例えば、好みに応じたカスタムの設定でホップアート、ジオラマ、リ−ニュクレールを選択することもできる。さらにまた、ユ−ザが次回の撮影時に、桜の花びらのア−トフィルタブラケット撮影を行うことができる。また、予め決められた位置に操作リングを回転してア−トブラケット撮影（カスタム）の位置を合わせれば、例えば、ホップア−ト、ジオラマ、リ−ニュクレールの３種類のア−トフィルタのブラケットの撮影ができ、撮影直後に、３枚のアートフィルタ画像がそれぞれ生成され、表示用画面に３枚揃えて一括表示できるようにすることも可能である。特に、ホップア−トまたはリ−ニュクレールは、エフェクト（ソフトフォーカス、ピンポール、ホワイトエッジ、スタ−ライトなど）との組み合わせとを選択（例えば、クリック切り替えの数を複数個（例えば、４個）することで、本願発明におけるアートフィルタとエフェクトとの切り替えを使わずに、１回の撮影でお好みのアートフィルタとエフェクトを組み合わせた画像データを表示画面に一括表示できる効果的である。
【０１７２】
また、本発明においては、記録媒体に特殊効果処理情報および補助効果処理情報に関する情報をそれぞれ記録させ、この記録媒体を介してＦｌａｓｈメモリの特殊効果処理情報および補助効果処理情報を更新してもよい。さらに、インターネットを介してＦｌａｓｈメモリの特殊効果処理情報および補助効果処理情報を更新してもよい。
【０１７３】
また、本発明にかかる撮像装置は、コンパクトデジタルカメラ、デジタル一眼レフカメラ以外にも、例えばアクセサリ等を装着可能なデジタルビデオカメラおよび撮影機能を有する携帯電話やタブレット型携帯機器等の電子機器にも適用することができる。
【０１７４】
また、本発明にかかる撮像装置は、たとえば、レンズ鏡筒が本体部に対して着脱自在であってもよい。
【０１７５】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１７６】
このように、本発明は、ここでは記載していない様々な実施の形態を含みうるものであり、特許請求の範囲によって特定される技術的思想の範囲内で種々の設計変更等を行うことが可能である。
【符号の説明】
【０１７７】
１  撮像装置
２  光学系
３  レンズ駆動部
４  絞り
５  絞り駆動部
８  撮像素子
９  撮像素子駆動部
１０  信号処理部
１１  Ａ／Ｄ変換部
１２  画像処理部
１３  ＡＥ処理部
１４  ＡＦ処理部
１５  画像圧縮展開部
１６  入力部
１７  表示部
１８  表示駆動部
１９  記録媒体
２０  ＳＤＲＡＭ
２１  時計
２２  Ｆｌａｓｈメモリ
２３  操作リング
２４  アクチュエータ機構
２６  制御部
１２１  基本画像処理部
１２２  特殊効果画像処理部
１２３  補助効果画像処理部
２２１  プログラム記録部
２２２  特殊効果処理情報記録部
２２３  補助効果処理情報記録部
２２４  レンズ情報記録部
２４１，３００，４００，５００，６００，７００  アクチュエータ
２４１ａ，３０１，４０１，５０１，６０１，７０１  接触部
２４１ｂ，３０２，５０２，６０２，７０２  支持部材
２４１ｃ，３０３，６０３  支持バネ
２４１ｄ  コイルバネ
２４２  アクチュエータ駆動制御部
２４３  位置検出部
２４４  回転検出部
２４５，３２０，５２０，６２０，７２０  状態検出部
【図１】
2014021201.tif 000003
【図２】
2014021201.tif 000004
【図３】
2014021201.tif 000005
【図４】
2014021201.tif 000006
【図５】
2014021201.tif 000007
【図６】
2014021201.tif 000008
【図７】
2014021201.tif 000009
【図８】
2014021201.tif 000010
【図９】
2014021201.tif 000011
【図１０】
2014021201.tif 000012
【図１１】
2014021201.tif 000013
【図１２】
2014021201.tif 000014
【図１３】
2014021201.tif 000015
【図１４】
2014021201.tif 000016
【図１５】
2014021201.tif 000017
【図１６】
2014021201.tif 000018
【図１７】
2014021201.tif 000019
【図１８】
2014021201.tif 000020
【図１９】
2014021201.tif 000021
【図２０】
2014021201.tif 000022
【図２１】
2014021201.tif 000023
【図２２】
2014021201.tif 000024
【図２３】
2014021201.tif 000025
【図２４】
2014021201.tif 000026
【図２５】
2014021201.tif 000027
【図２６】
2014021201.tif 000028
【図２７】
2014021201.tif 000029
【図２８】
2014021201.tif 000030
【図２９】
2014021201.tif 000031
【図３０】
2014021201.tif 000032
【図３１】
2014021201.tif 000033
【図３２】
2014021201.tif 000034
【図３３】
2014021201.tif 000035
【図３４】
2014021201.tif 000036